(57)【特許請求の範囲】
【請求項１】
内容物を充填する容器本体と、該容器本体の口部に装着されその皿面を綿やパフなどの塗布部材にて押圧することによって容器本体内の内容物を排出する受皿とを備える容器であって、
前記受皿の皿面に、内容物の排出に際して該内容物を直接塗布部材に向けて噴出させる複数の上向きの開孔を有し、当該開孔は、前記皿面に設けた突起の内部に形成され、その縁周りに、前記塗布部材で覆い隠された状態で当該塗布部材と前記皿面との間に隙間を形成する切り欠きを有する開口部径寸法が０．２〜３．０ｍｍのものであることを特徴とする受皿を備える容器。
【請求項２】
内容物を充填する容器本体と、該容器本体の口部に装着されその皿面を綿やパフなどの塗布部材にて押圧することによって容器本体内の内容物を排出する受皿とを備える容器であって、
前記受皿の皿面に、内容物の排出に際して該内容物を直接塗布部材に向けて噴出させる複数の上向きの開孔を有し、当該開孔は、前記塗布部材で覆い隠された状態で当該塗布部材と前記皿面との間に隙間を形成するように、前記皿面に設けた複数方向に延びる壁を形成する突起の付け根付近に形成される開口部径寸法が０．２〜３．０ｍｍのものであることを特徴とする受皿を備える容器。
【請求項３】
前記開孔は、前記皿面に向かって径寸法を小さく形成した絞りである請求項１又は２に記載の容器。
【発明の詳細な説明】
【０００１】
【発明の属する技術の分野】
本発明は、綿やパフなどの塗布部材に内容物を確実に浸透させるための受皿を備える容器に関するものである。
【０００２】
【従来の技術】
受皿を備える従来の容器としては、例えば、特開平１１−１６５７５７号公報に記載のものがある。この種の容器は、コットン（綿）やパフなどの塗布部材にて受皿の皿面を押圧することによって容器本体内の内容物を受皿の皿面に排出して、この内容物を塗布部材に浸透させるものである。
【０００３】
【発明が解決しようとする課題】
しかしながら、上記公報に開示された容器は、受皿の皿面に設けた開孔の上方が頂壁によって覆われており、内容物を直接塗布部材に向けて噴出させることができない。このため、塗布部材や内容物の特性などによって、内容物が塗布部材によって浸透しにくい場合、浸透しきれない内容物が塗布部材と受皿との間から洩れ出す事態が考えられる。
【０００４】
本発明は、上述の事実に鑑みてなされたものであって、内容物を塗布部材に対して浸透させやすい状態で排出することができる受皿を備える容器を提供することを目的とする。
【０００５】
【課題を解決するための手段】
この課題を解決するため、第１発明に係る、受皿を備える容器は、内容物を充填する容器本体と、この容器本体の口部に装着されその皿面を綿やパフなどの塗布部材にて押圧することによって容器本体内の内容物を排出する受皿とを備える容器であって、前記受皿の皿面に、内容物の排出に際して、この内容物を直接塗布部材に向けて噴出させる複数の上向きの開孔を有すると共に、当該開孔の開口部径寸法が０．２〜３．０ｍｍのものであることを特徴とするものである。
【０００６】
この場合、容器本体に充填した内容物が受皿の皿面に設けた上向きの開孔から直接塗布部材に向けて噴出することにより、内容物が塗布部材中に勢い良く入り込むから、内容物や塗布部材の特性に関わらず、内容物を塗布部材に浸透させることができる。従って本発明によれば、浸透しきれない内容物が塗布部材と受皿との間から洩れることを防止できる。
【０００７】
また、第１発明に係る、受皿を備える容器は、前記開孔が、皿面に設けた突起の内部に形成されたものである。この場合、塗布部材が前記開孔を覆い隠す状態で皿面を押圧するため、この開孔を覆い隠した部分に内容物が噴射される。従って第１発明によれば、塗布部材の局所部分に対して内容物を重点的に浸透させることができる。
【０００８】
更に、第１発明に係る、受皿を備える容器は、開孔の縁周りに切り欠きを有するものである。この場合、塗布部材が前記開孔を覆い隠す状態で皿面を押圧するため、この開孔を覆い隠した部分に内容物が噴出すると共に、浸透しない余分な内容物を切り欠きから排出することができる。従って第１発明によれば、塗布部材で開孔を封鎖したことによって内容物を排出できなくなる不都合を防止できる。
【０００９】
第２発明に係る、受皿を備える容器は、前記開孔が、皿面に設けた複数方向に延びる壁を形成する突起の付け根付近に形成されたものである。この場合、第１発明と同様に、塗布部材で開孔を封鎖したことによって内容物を排出できなくなる不都合を防止できる。
【００１０】
第３発明に係る、受皿を備える容器は、第１又は第２発明において、前記開孔は、皿面に向かって径寸法を小さく形成した絞りであることが好ましい。この場合、比較的高い圧力の内容物が塗布部材に向かって噴出するから、内容物の浸透力を高めることができる。
【００１１】
更に、第１及び第２発明に係る、受皿を備える容器は、前記開孔の開口部は、その径寸法が０．２〜３．０ｍｍである。この場合、開孔が加工の簡単なストレート孔であっても、内容物や塗布部材の特性に関わらず、一定の浸透力が得られるため、第１乃至第３発明に係る容器を安価に提供することができる。
【００１２】
【本発明の実施の形態】
以下、本発明の実施の形態を、添付図面に基づき詳細に説明する。
【００１３】
図１〜４は、本発明の第１の参照技術である受皿付きディスペンサ容器を示したものであり、図１および図２はそれぞれ、受皿の皿面を示す正面図および受皿付きディスペンサ容器を示す一部断面図である。また、図３および図４はそれぞれ、塗布部材に向けて内容物が噴出された状態を示す斜視図および拡大断面図である。
【００１４】
ディスペンサ容器１００は、内容物を充填する容器本体１１０と、この容器本体１１０の口部１１１に取り付けられたカバー１２０と、このカバー１２０に内蔵されて容器本体１１０内に充填された内容物を排出する汲み上げ要素１３０と、この汲み上げ要素１３０と結合する受皿１４０とからなる。
【００１５】
容器本体１１０の内部には、例えば、化粧水やクレンジング液などの化粧料や、消毒液などが充填されており、その口部１１１にはカバー１２０がねじ止めされている。カバー１２０は、カバー本体１２１に対してヒンジ１２２を中心にして上下方向に回動するキャップ１２３を有する。キャップ１２３は、カバー本体１２１に対してスナップ嵌合することでロックすることができる。
【００１６】
汲み上げ要素１３０は、容器本体１１０内に収容された吸入ノズル１３１と、このノズル１３１に連通するとともにスプリング１３２によって支持されたピストン１３３を備えるシリンダ１３４と、このシリンダ１３４に連通する排出ノズル１３５からなるワンプッシュ式の真空ポンプである。
【００１７】
受皿１４０は、排出ノズル１３５に取り付けられており、ポンプ１３０から汲み上げた内容物を皿面１４０ｆに排出する開孔１４１を有する。開孔１４１は、ポンプ軸線Ｏpに沿って形成され上向きに開口したものであると共に、皿面１４０ｆに向かって径寸法を小さく形成した絞り１４２を有する。
【００１８】
次に、本参照技術の作用を説明する。
【００１９】
使用者は、始めに皿面１４０ｆを塗布部材Ｃにて容器本体１１０に向かって押圧することによってピストン１３３に下向きのストロークを生じさせ、ピストン１３３およびシリンダ１３４間に画成されたポンプ室Ｒの容積を減少させる。この後、塗布部材Ｃを引き上げて受皿１４０を解放すると、スプリング１３２によってピストン１３３に上向きのストロークが生じるため、ポンプ室Ｒの容積が増大する。これによってポンプ室Ｒ内に負圧が発生して内容物が汲み上げられる。
【００２０】
そして、使用者が再び塗布部材Ｃにて皿面１４０ｆを押圧してピストン１３３をストロークさせると、ポンプ室Ｒ内に汲み上げられた内容物は、排出ノズル１３５を経て、上向きに開口した開孔１４１から直接塗布部材Ｃに向けて噴出される。
【００２１】
つまり、容器本体１１０に充填した内容物が図４に示す如く、受皿１４０の皿面１４０ｆに設けた上向きの開孔１４１から直接塗布部材Ｃに向けて噴出することにより、内容物が塗布部材Ｃ中に勢い良く入り込むから、内容物や塗布部材Ｃの特性に関わらず、内容物を塗布部材Ｃに浸透させることができる。従ってディスペンサ容器１００によれば、浸透しきれない内容物が塗布部材Ｃと受皿１４０との間から洩れることを防止できる。
【００２２】
特に、開孔１４１は皿面１４０ｆに向かって径寸法を小さく形成した絞り１４２である。この場合、比較的高い圧力の内容物が塗布部材Ｃに向かって噴出するから、内容物の浸透力を高めることができる。但し、開孔１４１は皿面１４０ｆに向かって径寸法を小さく形成した絞り１４２でなく、径寸法の一定なストレート孔であってもよい。加えて、開孔１４１は、２箇所、３箇所などの複数箇所に形成する。
【００２３】
図５は、本発明の第２の参照技術である受皿付きディスペンサ容器３００であって、（ａ）は受皿の皿面を示す正面図、（ｂ）はディスペンサ容器を示す一部断面図である。なお、図５において、図１と同一部分は同一符号をもって説明を省略する。
【００２４】
ディスペンサ容器３００は、ディスペンサ容器１００の受皿１４０を受皿３４０に交換したものである。受皿３４０の皿面３４０ｆは、開孔３４１が皿面３４０ｆに設けた突起３４３の内部に形成されたものである。開孔３４１は、第１実施形態と同様に、ポンプ軸線Ｏpに沿って形成され上向きに開口したものであると共に、皿面３４０ｆに向かって径寸法を小さく形成した絞り３４２である。
【００２５】
この場合、塗布部材Ｃが開孔３４１を覆い隠す状態で皿面３４０ｆを押圧するため、この開孔３４１を覆い隠した部分に内容物が噴射される。従ってディスペンサ容器３００によれば、塗布部材Ｃの局所部分に対して内容物を重点的に浸透させることができる。但し、開孔３４１も、他の実施形態と同様に、皿面３４０ｆに向かって径寸法を小さく形成した絞り３４２でなく、径寸法の一定なストレート孔であってもよい。
【００２６】
図６は、後述の本発明の第２実施形態を説明する第３の参照技術であって、受皿３４０の変形例を示す斜視図である。受皿３４０の皿面３４０ｆには、皿面３４０ｆに設けた３つの突起３４３の内部にそれぞれ上向きの開孔３４１が形成されている。つまり、開孔３４１を有する突起３４３を、皿面３４０ｆの複数箇所に設ける。また開孔３４１も、皿面３４０ｆに向かって径寸法を小さく形成した絞り３４２であっても、径寸法の一定なストレート孔であってもよい。
【００２７】
図７は、本発明の第１の実施形態である受皿付きディスペンサ容器４００であって、（ａ）は受皿の皿面を示す正面図、（ｂ）はディスペンサ容器を示す一部断面図である。また、図８は、受皿４４０を示す斜視図である。但し、図７において、図１と同一部分は同一符号をもってその説明を省略する。
【００２８】
ディスペンサ容器４００は、ディスペンサ容器１００の受皿１４０を受皿４４０に交換したものである。受皿４４０は、皿面４４０ｆに設けた突起４４２の内部に３つの上向きの開孔４４１が形成されると共に、これら開孔４４１の縁周りにそれぞれ切り欠き４４３を設けたものである。但し、切り欠き４４３は、本実施形態の示す如く、１つの開孔４４１に対して１つだけであっても、１つの開孔４４１に対して複数個であってもよい。
【００２９】
この場合、塗布部材Ｃが開孔４４１を覆い隠す状態で皿面４４０ｆを押圧するため、これら開孔４４１を覆い隠した部分に内容物が噴出すると共に、浸透しない余分な内容物を切り欠き４４３から排出することができる。従ってディスペンサ容器４００によれば、塗布部材Ｃで開孔４４１を封鎖したことによって内容物を排出できなくなる不都合を防止できる。
【００３０】
また、図５，６に示す参照技術のように、１つの突起３４３に１つの開孔３４１を設けた場合も、開孔３４１の縁周りに少なくとも１つの切り欠きを設けることができ、図６に示す参照技術に切り欠きを設けた場合が本発明の第２形態となる。
例えば、図９は、図５に示す参照技術の受皿３４０に切り欠きを設けた場合を示す斜視図である。
【００３１】
本実施形態は、図９に示す如く、開孔３４１の縁周りに、３つの切り欠き３４５が設けられている。この場合も、受皿４４０と同様に、浸透しない余分な内容物を切り欠き３４５から排出して、塗布部材Ｃで開孔３４５を封鎖したことによって内容物を排出できなくなる不都合を防止できる。但し、切り欠き３４５は、本実施形態の示す如く、１つの開孔３４１に対して複数個であっても、１つの開孔３４１に対して１つだけであってもよい。
【００３２】
図１０（ａ），（ｂ）はそれぞれ、本発明の第３実施形態であって、ディスペンサ容器１００の受皿１４０と交換可能な受皿５４０を示す正面図およびその断面図である。
【００３３】
受皿５４０は、その皿面５４０ｆに３つの上向き開孔５４１を有し、これらの上向き開孔５４１はそれぞれ、その皿面５４０ｆに設けられたＹ字形の突起５４３の付け根付近に形成されたものである。
【００３４】
この場合、塗布部材Ｃが開孔５４１を覆い隠す状態で皿面５４０ｆを押圧するため、開孔５４１を覆い隠した部分に内容物が噴出すると共に、浸透しない余分な内容物を突起５４３によって形成された塗布部材Ｃと皿面５４０ｆとの隙間から排出することができる。従って受皿５４０を用いたディスペンサ容器によれば、ディスペンサ容器４００と同様に、塗布部材Ｃで開孔５４１を封鎖したことによって内容物を排出できなくなる不都合を防止できる。
【００３５】
なお、受皿５４０に設けた開孔５４１は、３箇所に限らず、２箇所、４箇所などの複数箇所に設けることができる。これにより、突起５４３の形状も、塗布部材Ｃと皿面５４０ｆとに隙間が生じる形状であれば、Ｙ字型に限らず様々に変更することができる。また開孔５４１は皿面５４０ｆに向かって径寸法を小さく形成した絞り５４２であっても、径寸法の一定なストレート孔であってもよい。
【００３６】
ところで、上述した各実施形態における、開孔１４０〜５４０の開口部は、その径寸法φ1〜φ10が０．２〜３．０ｍｍである。この場合、開孔１４１〜５４１が加工の簡単なストレート孔であっても、内容物や塗布部材Ｃの特性に関わらず、一定の浸透力が得られるから、上述の各実施形態に係る容器を安価に提供することができる。
【００３７】
また汲み上げ要素１３０は、ワンプッシュ式ポンプに限らず、受皿の皿面を塗布部材Ｃにて押圧することで、内容物を噴霧するスプレー式要素であってもよい。さらに、塗布部材Ｃも、コットンやパフに限らず、ちり紙や布などの浸透性を有するものであれば良い。
【００３８】
【発明の効果】
上述したことから、第１発明に係る、受皿を備える容器によれば、容器本体に充填した内容物が受皿の皿面に設けた上向きの開孔から直接塗布部材に向けて噴出することにより、内容物が塗布部材中に勢い良く入り込むから、内容物や塗布部材の特性に関わらず、内容物を塗布部材に浸透させることができる。従って本発明によれば、浸透しきれない内容物が塗布部材と受皿との間から洩れることを防止できる。
【００３９】
また、第１発明は、前記開孔が、皿面に設けた突起の内部に形成されたものであるから、塗布部材が前記開孔を覆い隠す状態で皿面を押圧するため、この開孔を覆い隠した部分に内容物が噴射される。従って第１発明によれば、塗布部材の局所部分に対して内容物を重点的に浸透させることができる。
【００４０】
更に、第１発明は、開孔の縁周りに切り欠きを有するものであるため、塗布部材が前記開孔を覆い隠す状態で皿面を押圧するから、この開孔を覆い隠した部分に内容物が噴出すると共に、浸透しない余分な内容物を切り欠きから排出することができる。従って第１発明によれば、塗布部材で開孔を封鎖したことによって内容物を排出できなくなる不都合を防止できる。
【００４１】
第２発明は、前記開孔は、皿面に設けた複数方向に延びる壁を形成する突起の付け根付近に形成されたものであるから、第３発明と同様に、塗布部材で開孔を封鎖したことによって内容物を排出できなくなる不都合を防止できる。
【００４２】
第３発明は、第１又は第２発明において、前記開孔は、皿面に向かって径寸法を小さく形成した絞りであるから、比較的高い圧力の内容物が塗布部材に向かって噴出するため、内容物の浸透力を高めることができる。
【００４３】
第１及び第２発明によれば、前記開孔の開口部はその径寸法が０．２〜３．０ｍｍであるから、開孔が加工の簡単なストレート孔であっても、内容物や塗布部材の特性に関わらず、一定の浸透力が得られるため、第１乃至第６発明に係る容器を安価に提供することができる。
【図面の簡単な説明】
【図１】本発明の第１の参照技術である受皿付きディスペンサ容器における受皿の皿面を示す正面図である。
【図２】同技術における受皿付きディスペンサ容器を示す一部断面図である。
【図３】同技術において、塗布部材に向けて内容物が噴出された状態を示す斜視図である。
【図４】同技術において、塗布部材に向けて内容物が噴出された状態を示す拡大断面図である。
【図５】本発明の第２の参照技術であって、（ａ）は受皿の皿面を示す正面図、（ｂ）はディスペンサ容器を示す一部断面図である。
【図６】本発明の第２実施形態を説明する第３の参照技術であって、図５に示す受皿の変形例を示す斜視図である。
【図７】本発明の第１の実施形態であって、（ａ）は受皿の皿面を示す正面図、（ｂ）はディスペンサ容器を示す一部断面図である。
【図８】同実施形態における受皿を示す斜視図である。
【図９】図７に示す受皿に切り欠きを設けた場合を示す斜視図である。
【図１０】（ａ），（ｂ）はそれぞれ、本発明の第３実施形態であって、図２に示す受皿と交換可能な他の受皿を示す正面図およびその断面図である。
【符号の説明】
１００  ディスペンサ容器
１１０  容器本体
１１１  容器本体の口部
１２０  カバー
１２１  カバー本体
１２２  ヒンジ
１２３  キャップ
１３０  真空ポンプ（汲み上げ要素）
１３１  吸入ノズル
１３２  スプリング
１３３  ピストン
１３４  シリンダ
１３５  排出ノズル
１４０  受皿
１４０ｆ  皿面
１４１  開孔
１４２  絞り
３４０  受皿
３４０ｆ  皿面
３４１  開孔
３４２  絞り
３４３  突起
３４５  切り欠き
４４０  受皿
４４０ｆ  皿面
４４１  開孔
４４２  絞り
４４３  突起
４４５  切り欠き
５４０  受皿
５４０ｆ  皿面
５４１  開孔
５４２  絞り
５４３  突起
５４５  切り欠き
Ｃ  塗布部材
Ｒ  ポンプ室
Ｒ1，Ｒ2  空間（開孔）
【図１】
0003895542.tif 000002
【図２】
0003895542.tif 000003
【図３】
0003895542.tif 000004
【図４】
0003895542.tif 000005
【図５】
0003895542.tif 000006
【図６】
0003895542.tif 000007
【図７】
0003895542.tif 000008
【図８】
0003895542.tif 000009
【図９】
0003895542.tif 000010
【図１０】
0003895542.tif 000011